【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
複数の光ビームを同時に並行走査することで複数の像担持体上それぞれに形成した画像を、同一の記録媒体上に順次転写して画像を形成するプリンタエンジン部に対して、前記複数の光ビームの各光ビーム出力を制御するための画像信号を出力する画像出力装置であって、
前記記録媒体上に形成される複数の転写画像より検出した搬送方向の位置ずれ量を前記プリンタエンジン部より受信する受信手段と、
前記複数の光ビームの各光ビームに対応する画像データをそれぞれ保持する複数の記憶手段と、
出力対象の画像データを前記光ビーム出力を制御するための画像信号に変換して前記プリンタエンジン部へ出力する複数のデータ処理手段と、
前記受信手段で受信した位置ずれ量に応じて、前記複数の記憶手段それぞれに記憶された画像データの転送先を、前記複数のデータ処理手段から選択して転送する転送手段と、
前記受信手段で受信した位置ずれ量に応じて、前記複数の光ビームそれぞれの出力タイミングを規定する値を前記複数のデータ処理手段それぞれに設定する設定手段とを備え、
前記複数のデータ処理手段はそれぞれ、前記設定手段で設定された値に基づいて、前記プリンタエンジン部へ出力する前記画像信号の出力タイミングを制御する
ことを特徴とする画像出力装置。
【請求項２】
前記光ビームの走査単位に整形された画像データを、前記複数の光ビームの各光ビーム毎に分離する分離手段を更に備え、
前記複数の記憶手段はそれぞれ、前記分離手段により分離された画像データを、対応する光ビームの走査順に記憶する
ことを特徴とする請求項１に記載の画像出力装置。
【請求項３】
前記複数のデータ処理手段はそれぞれ、前記プリンタエンジン部に対して送信した印刷開始指示信号に対して前記プリンタエンジン部から受信する信号の受信後、前記プリンタエンジン部による前記光ビームの走査位置が、前記設定手段で設定された値に対応する光ビーム出力開始位置に至るまで待機した後、前記プリンタエンジン部へ前記画像信号を出力する
ことを特徴とする請求項１に記載の画像出力装置。
【請求項４】
前記受信手段が受信する位置ずれ量は、前記光ビームの走査単位であるライン数である
ことを特徴とする請求項１に記載の画像出力装置。
【請求項５】
前記複数の光ビームが、奇数ライン用及び偶数ライン用の第１及び第２光ビームで構成される場合、前記複数の記憶手段は、前記第１及び第２光ビームそれぞれに対応する画像データを保持する第１及び第２記憶手段で構成され、かつ前記複数のデータ処理手段は、出力対象の画像データをそれぞれ前記第１及び第２光ビーム出力を制御するための画像信号に変換して前記プリンタエンジン部へ出力する第１及び第２データ処理手段で構成され、
前記光ビームの走査単位であるライン数で示される前記位置ずれ量ｍが偶数の場合、
前記転送手段は、前記第１及び第２記憶手段が保持する前記第１及び第２光ビームに対応する画像データの転送先を、それぞれ前記第１及び第２データ処理手段に選択して転送し、
前記設定手段は、前記第１及び第２光ビームの出力タイミングを規定する値として、前記位置ずれ量ｍ／２を前記第１及び第２データ処理手段それぞれに設定し、
前記光ビームの走査単位であるライン数で示される前記位置ずれ量ｍが奇数の場合、
前記転送手段は、前記第１及び第２記憶手段が保持する前記第１及び第２光ビームに対応する画像データの転送先を、それぞれ前記第２及び第１データ処理手段に選択して転送し、
前記設定手段は、前記第１光ビームの出力タイミングを規定する値として、前記位置ずれ量ｍ／２＋１を前記第１データ処理手段に設定し、かつ前記第２光ビームの出力タイミングを規定する値として、前記位置ずれ量ｍ／２を前記第２データ処理手段に設定する
ことを特徴とする請求項１に記載の画像出力装置。
【請求項６】
前記転送手段は、前記受信手段で受信した位置ずれ量ｍを、前記複数の光ビームのビーム数ｎで割った余りに応じて、前記複数の記憶手段それぞれに記憶された画像データの転送先を前記複数のデータ処理手段から選択して転送し、
前記設定手段は、前記受信手段で受信した位置ずれ量ｍを、前記複数の光ビームのビーム数ｎで割った余りに応じて、前記複数の光ビームそれぞれの出力タイミングを規定する値を前記複数のデータ処理手段それぞれに設定する
ことを特徴とする請求項１に記載の画像出力装置。
【請求項７】
前記複数の光ビームが、Ｎ（Ｎは３以上）個の第Ｎ光ビームで構成される場合、前記複数の記憶手段は、前記第Ｎ光ビームそれぞれに対応する画像データを保持する第１〜第Ｎ記憶手段で構成され、かつ前記複数のデータ処理手段は、出力対象の画像データをそれぞれ前記第１〜Ｎ光ビーム出力を制御するための画像信号に変換して前記プリンタエンジン部へ出力する第１〜第Ｎデータ処理手段で構成され、
前記位置ずれ量ｍ／前記ビーム数Ｎの余りが０の場合、
前記転送手段は、前記第Ｎ記憶手段が保持する前記第Ｎ光ビームに対応する画像データの転送先を、前記第Ｎデータ処理手段に選択して転送し、
前記設定手段は、前記第Ｎ光ビームの出力タイミングを規定する値として、前記位置ずれ量ｍ／前記ビーム数Ｎを前記第Ｎデータ処理手段に設定し、
前記位置ずれ量ｍ／前記ビーム数Ｎの余りが１の場合、
前記転送手段は、前記第１〜第Ｎ−１記憶手段が保持する前記第１〜Ｎ−１光ビームに対応する画像データの転送先を、それぞれ前記第２〜第Ｎデータ処理手段に選択して転送するとともに、かつ前記第Ｎ記憶手段が保持する前記第Ｎ光ビームに対応する画像データの転送先を、前記第１データ処理手段に選択して転送し、
前記設定手段は、前記第１光ビームの出力タイミングを規定する値として、前記位置ずれ量ｍ／前記ビーム数Ｎ＋１を前記第１データ処理手段に設定し、かつ前記第２〜第Ｎ光ビームそれぞれの出力タイミングを規定する値として、前記位置ずれ量ｍ／前記ビーム数Ｎを前記第２〜第Ｎデータ処理手段それぞれに設定し、
前記位置ずれ量ｍ／前記ビーム数Ｎの余りがＮ−１の場合、
前記転送手段は、前記第１〜第Ｎ記憶手段が保持する前記第１〜Ｎ光ビームに対応する画像データの転送先を、それぞれ前記第Ｎ、第１〜第Ｎ−１データ処理手段に選択して転送し、
前記設定手段は、前記第１〜第Ｎ−１光ビームそれぞれの出力タイミングを規定する値として、前記位置ずれ量ｍ／前記ビーム数Ｎ＋１を前記第１〜第Ｎ−１データ処理手段にそれぞれ設定し、かつ前記第Ｎ光ビームの出力タイミングを規定する値として、前記位置ずれ量ｍ／前記ビーム数Ｎを前記第Ｎデータ処理手段に設定する
ことを特徴とする請求項４に記載の画像出力装置。
【請求項８】
複数の光ビームを同時に並行走査することで複数の像担持体上それぞれに形成した画像を、同一の記録媒体上に順次転写して画像を形成するプリンタエンジン部に対して、前記複数の光ビームの各光ビーム出力を制御するための画像信号を出力する画像出力装置の制御方法であって、
前記記録媒体上に形成される複数の転写画像より検出した搬送方向の位置ずれ量を前記プリンタエンジン部より受信する受信工程と、
前記複数の光ビームの各光ビームに対応する画像データを複数の記憶部それぞれに記憶する記憶工程と、
出力対象の画像データを前記光ビーム出力を制御するための画像信号に変換して前記プリンタエンジン部へ出力する複数のデータ処理工程と、
前記受信工程で受信した位置ずれ量に応じて、前記複数の記憶部それぞれに記憶された画像データの転送先を、前記複数のデータ処理工程から選択して転送する転送工程と、
前記受信工程で受信した位置ずれ量に応じて、前記複数の光ビームそれぞれの出力タイミングを規定する値を前記複数のデータ処理工程それぞれに設定する設定工程とを備え、
前記複数のデータ処理工程はそれぞれ、前記設定工程で設定された値に基づいて、前記プリンタエンジン部へ出力する前記画像信号の出力タイミングを制御する
ことを特徴とする画像出力装置の制御方法。
【請求項９】
複数の光ビームを同時に並行走査することで複数の像担持体上それぞれに形成した画像を、同一の記録媒体上に順次転写して画像を形成するプリンタエンジン部に対して、前記複数の光ビームの各光ビーム出力を制御するための画像信号を出力する画像出力装置の制御をコンピュータに実行させるためのコンピュータプログラムであって、
前記記録媒体上に形成される複数の転写画像より検出した搬送方向の位置ずれ量を前記プリンタエンジン部より受信する受信工程と、
前記複数の光ビームの各光ビームに対応する画像データを複数の記憶部それぞれに記憶する記憶工程と、
出力対象の画像データを前記光ビーム出力を制御するための画像信号に変換して前記プリンタエンジン部へ出力する複数のデータ処理工程と、
前記受信工程で受信した位置ずれ量に応じて、前記複数の記憶部それぞれに記憶された画像データの転送先を、前記複数のデータ処理工程から選択して転送する転送工程と、
前記受信工程で受信した位置ずれ量に応じて、前記複数の光ビームそれぞれの出力タイミングを規定する値を前記複数のデータ処理工程それぞれに設定する設定工程とを備え、
前記複数のデータ処理工程はそれぞれ、前記設定工程で設定された値に基づいて、前記プリンタエンジン部へ出力する前記画像信号の出力タイミングを制御する
ことをコンピュータに実行させることを特徴とするプログラム。